(57)【要約】【課題】  分割印刷したカット紙を連結してなる拡大ポスター印刷において、分割印刷したカット紙の連結作業を簡単にする。【解決手段】  用紙セット部１３は、剥離テープが止着された粘着糊代部を有する３種類のカット紙と粘着糊代部を有しない１種類のカット紙とをセットする。用紙情報登録部１５は、用紙セット部１３のセット状態から、粘着糊代部を有するカット紙とそれを有しないカット紙とを連結して得られる大判印刷用紙に関するカット紙連結組合せ情報を登録する。給紙段判別部１９は、印刷指示された大判印刷用紙に関するカット紙連結組合せ情報を用紙情報登録部１５から検索して格納する。分割データ生成部２１は、給紙段判別部１９にあるカット紙連結組合せ情報に基づき、連結されるカット紙に対応して分割した分割印刷画像データと、これら分割印刷画像データを印刷するカット紙を指定する用紙指定データとを生成する。【選択図】  図１
2007261105.tif 000002
【特許請求の範囲】
【請求項１】
連結される所定寸法のカット紙に１頁分の印刷画像データを分割して印刷制御する印刷制御装置において、
剥離テープが止着された粘着糊代部を有する１種類以上の前記カット紙と前記糊代部を有しない前記カット紙とを前記糊代部で連結して得られる大判印刷用紙に関するカット紙連結組合せ情報が登録された用紙情報登録部と、
登録された前記カット紙連結組合せ情報に基づき、連結される個々の前記カット紙に対応して１頁分の前記印刷画像データを分割した分割印刷画像データと、個々の分割印刷画像データが印刷される前記カット紙を指定する用紙指定データとを生成する分割データ生成部と、
を具備することを特徴とする印刷制御装置。
【請求項２】
前記粘着糊代部を有する前記カット紙が複数種類からなるとき、個々の前記カット紙は互いに形成位置が異なる粘着糊代部を有する請求項１記載の印刷制御装置。
【請求項３】
前記粘着糊代部を有する前記カット紙が複数種類からなるとき、各々異なる１辺に前記粘着糊代部を有する２種類のカット紙と、片方の隣合う連続辺に粘着糊代部を有する１種類のカット紙とからなる請求項２記載の印刷制御装置。
【請求項４】
複数種類の前記カット紙が各々関連づけてセットされる用紙セット部を有し、前記用紙情報登録部は前記用紙セット部のカット紙種類情報から前記カット紙連結組合せ情報が登録される請求項１〜３のいずれか１項記載の印刷制御装置。
【請求項５】
前記分割データ生成部に対し、前記用紙情報登録部および又は前記用紙セット部がネットワークを介して接続されてなる請求項４記載の印刷制御装置。
【請求項６】
連結される所定寸法のカット紙に１頁分の印刷画像データを分割して印刷制御する印刷制御用コンピュータに、
剥離テープが止着された粘着糊代部を有する１種類以上の前記カット紙および前記糊代部を有しない前記カット紙とを前記粘着糊代部で連結して得られる大判印刷用紙に関するカット紙連結組合せ情報を登録する用紙情報登録処理と、
登録された前記カット紙連結組合せ情報に基づき、連結される個々の前記カット紙に対応して１頁分の前記印刷画像データを分割した分割印刷画像データと、個々の分割印刷画像データの印刷に対応する前記カット紙を指定する用紙指定データとを生成する生成処理と、
を実行させる印刷制御プログラム。
【発明の詳細な説明】
【技術分野】
【０００１】
本発明は印刷制御装置および印刷制御プログラムに係り、例えば、１頁分の印刷画像データを拡大して複数枚のカット紙（定形紙）に分割印刷し、これらを連結して大判ポスター等を作成する場合に利用可能な印刷制御装置および印刷制御プログラムの改良に関する。
【背景技術】
【０００２】
プリンタ等では、扱えるカット紙がＡ４版とかＡ３版等に限定されるから、それらより大判のポスターを印刷するには、１頁分の印刷画像データを拡大して複数枚のカット紙（定形紙）に分割印刷し、これらを連結して作成する手法が採用されており、一般にポスター印刷と称される場合が多い。
【０００３】
従来、ポスター印刷に用いられる印刷制御装置としては、例えば、印刷後の各用紙の所定位置どうしを貼り合わせると所望の画像が得られるように１頁分の印刷画像データを複数領域に分割し、この分割印刷画像データの余白位置に糊代を示す模様を追加的に描画し、これら糊代模様の追加された分割印刷画像データをプリンタにて個々のカット紙に印刷し、印刷後のカット紙の糊付け位置を分かり易くする構成が提案されている。特開２００５−２１５８９５号公報（特許文献１）はこの種のものである。
【特許文献１】特開２００５−２１５８９５号公報
【発明の開示】
【発明が解決しようとする課題】
【０００４】
しかしながら、上述した印刷制御装置では、大判ポスターを作成する際、ポスターサイズに応じて連結するカット紙の糊代位置が種々に変わるため、作業者の糊付け作業が面倒である等、改良すべき課題がある。
【０００５】
本発明はそのような課題を解決するためになされたもので、カット紙を連結して大判ポスターを作成するに当たり、ポスターサイズによって糊代位置が変更されてもそれらカット紙の連結作業を簡単にした印刷制御装置および印刷制御プログラムの提供を目的とする。
【課題を解決するための手段】
【０００６】
そのような課題を解決するために本発明に係る印刷制御装置は、連結される所定寸法のカット紙に１頁分の印刷画像データを分割して印刷制御する印刷制御装置において、剥離テープが止着された粘着糊代部を有する１種類以上のカット紙と前記粘着糊代部を有しないカット紙とをそれら粘着糊代部で連結して得られる大判印刷用紙に関するカット紙連結組合せ情報が登録された用紙情報登録部と、登録されたそのカット紙連結組合せ情報に基づき、連結される個々のカット紙に対応して１頁分の印刷画像データを分割した分割印刷画像データと、個々の分割印刷画像データが印刷されるカット紙を指定する用紙指定データとを生成する分割データ生成部とを具備している。
【０００７】
そして、本発明では、粘着糊代部を有する上記カット紙が複数種類からなるとき、個々のカット紙は互いに形成位置が異なる粘着糊代部を有する構成が可能である。
【０００８】
また、本発明では、粘着糊代部を有する上記カット紙が複数種類からなるとき、各々異なる１辺に粘着糊代部を有する２種類のカット紙と、片方の隣合う連続辺に粘着糊代部を有する１種類のカット紙とからなる構成も可能である。
【０００９】
さらに、本発明では、複数種類の上記カット紙が各々関連づけてセットされる用紙セット部を有し、その用紙情報登録部は用紙セット部のカット紙種類情報からそのカット紙連結組合せ情報が登録される構成も可能である。
【００１０】
さらにまた、本発明では、上記分割データ生成部に対し、それら用紙情報登録部および又は用紙セット部がネットワークを介して接続されてなる構成も可能である。
【００１１】
そして、本発明の印刷制御プログラムは、連結される所定寸法のカット紙に１頁分の印刷画像データを分割して印刷制御する印刷制御用コンピュータに、剥離テープが止着された粘着糊代部を有する１種類以上のカット紙および粘着糊代部を有しないカット紙とをそれら粘着糊代部で連結して得られる大判印刷用紙に関するカット紙連結組合せ情報を登録する用紙情報登録処理と、登録されたそのカット紙連結組合せ情報に基づき、連結される個々のカット紙に対応して１頁分の印刷画像データを分割した分割印刷画像データと、個々の分割印刷画像データの印刷に対応するカット紙を指定する用紙指定データとを生成する生成処理とを実行させるものである。
【発明の効果】
【００１２】
このような本発明に係る印刷制御装置および印刷制御プログラムでは、剥離テープが止着された粘着糊代部を有する１種類以上のカット紙とそれを有しないカット紙とを粘着糊代部によって連結して得られる大判印刷用紙のカット紙連結組合せ情報を登録し、登録されたそのカット紙連結組合せ情報に基づき、連結される個々のカット紙に対応して１頁分の印刷画像データを分割した分割印刷画像データと、個々の分割印刷画像データが印刷されるカット紙を指定する用紙指定データとを生成する構成を具備しているから、ポスターサイズが変更されても、個々のカット紙の連結位置が分かり易く、単にカット紙を重ねるだけで連結可能で、作業者の連結作業が簡単になる。
【００１３】
そして、粘着糊代部を有する上記カット紙が複数種類からなるとき、個々のカット紙が互いに形成位置の異なる粘着糊代部を有する構成では、複数種類の大判ポスターの作成が可能となる。
【００１４】
また、粘着糊代部を有する上記カット紙が複数種類からなるとき、各々異なる１辺に粘着糊代部を有する２種類のカット紙と、片方の隣合う連続辺に粘着糊代部を有する１種類のカット紙からなる構成では、ほとんどの寸法の大判ポスターの作成が可能となる。
【００１５】
さらに、複数種類の上記カット紙が各々関連づけてセットされる用紙セット部を有し、その用紙情報登録部にはその用紙セット部のカット紙種類情報からカット紙連結組合せ情報を登録する構成では、カット紙のセット位置からカット紙連結組合せ情報が得られ、操作や管理が簡単となる。
【００１６】
さらにまた、上記分割データ生成部に対し、それら用紙情報登録部および又は用紙セット部がネットワークを介して接続されてなる構成では、ネットワークを介して遠隔的に分割印刷画像データの印刷が可能である。
【発明を実施するための最良の形態】
【００１７】
以下、本発明に係る実施の形態を図面を参照して説明する。
【００１８】
図１は本発明に係る印刷制御装置の実施の形態を示す概略ブロック図である。
【００１９】
図１において、プリンタ１は、後述する機能を有する印刷デバイスであり、ネットワーク３を介してコンピュータ５、７が接続されている。なお、コンピュータ５、７はプリンタドライバを搭載した同一のものであるから、コンピュータ５を説明することによってコンピュータ７の説明は省略する。
【００２０】
プリンタ１は、後述する複数種類のカット紙９に印刷する印刷エンジン１１に加えて、複数種類のカット紙９をセットする用紙セット部１３、この用紙セット部１３にセットされるカット紙９に関する用紙情報を登録する用紙情報登録部１５を有している。
【００２１】
用紙セット部１３は、大判ポスター等を所定寸法のカット紙９に等分割したときの個々のカット紙９をセットするもので、従来公知のプリンタに配置されるカセット（後述する図３参照）等に相当する。
【００２２】
例えば、図２に示すように、１枚のＡ２版領域は４枚のＡ４版領域ａ、ｂ、ｃ、ｄを連結した状態に匹敵し、１枚のＡ２版用紙を得ようとする場合、Ａ４版のカット紙９を４枚連結すれば良いわけである。図２中の斜線領域はＡ４版カット紙９の重ね合わせ連結領域である。
【００２３】
そして、４枚のカット紙９として、図３に示すように、片方で隣合って連続する右辺と下辺に帯状の粘着糊代部１７が止着加工されたカット紙９ａと、右辺に帯状の粘着糊代部１７が止着加工されたカット紙９ｂと、下辺に帯状の粘着糊代部１７が止着加工されたカット紙９ｃと、粘着糊代部１７が止着加工されていないカット紙９ｄを用いれば、これらを粘着糊代部１７で連結して１枚のＡ２版の用紙が得られる（図２参照）。
【００２４】
しかも、これら４種類のカット紙９ａ〜９ｄにより、それより大きな大判用紙を形成することが可能である。すなわち、Ａ２版の用紙に対して更にカット紙９ａ、９ｃを組み合わせ連結すれば縦方向（上下方向）に拡大でき、カット紙９ａ、９ｂを組み合わせ連結すれば横方向（左右方向）にも拡大できる。
【００２５】
なお、各カット紙９ａ〜９ｄの粘着糊代部１７には予め剥離テープが止着されてカット紙９ａ〜９ｄが扱い易くなっている。
【００２６】
用紙セット部１３は、図３に示すように、それら４種類のカット紙９ａ〜９ｄを個別にセットした複数（複数段）のカセット１３ａ、１３ｂ、１３ｃ、１３ｄから形成されており、例えば個々のカセットにカット紙９ａ〜９ｄが複数枚ずつセットされ、個々のカット紙９ａ〜９ｄを特定する用紙情報、すなわち粘着糊代部１７の形成位置が互いに異なる３種類のカット紙９ａ〜９ｃと粘着糊代部１７の形成されていない１種類のカット紙９ｄを特定するカット紙種類情報を出力するようになっている。
【００２７】
用紙情報登録部１５は、用紙セット部１３からのカット紙種類情報に基づき、カット紙９より大きな大判印刷用紙が何れのカット紙９ａ〜９ｄ（カセット１３ａ〜１３ｄ）の配置連結組合せで形成できるかのカット紙連結組合せ情報を登録する機能を有している。
【００２８】
例えば、Ａ３版であれば、図４Ａのようにカット紙９ｃと９ｄの位置組合せ又は同図Ｂのようにカット紙９ｂと９ｄの位置組合せで（１×２の拡大分割）、Ａ２版であれば、図５のようにカット紙９ａ〜９ｄの位置組合せが（２×２の拡大分割）、用紙セット部１３の個別のカセット（カセット段）１３ａ〜１３ｄを特定した状態で、カット紙連結組合せ情報として用紙情報登録部１５に登録されている。
【００２９】
図１に戻って、コンピュータ５は、給紙段判別部１９および分割データ生成部２１その他を有しており、プリンタ１に対して印刷データを出力する機能その他の機能を有している。
【００３０】
給紙段判別部１９は、図示しないキーボード等から指示された大判印刷用紙について、ネットワーク３を介して用紙情報登録部１５におけるカット紙連結組合せ情報を検索し、指示された大判印刷用紙に該当するカット紙連結組合せ情報を形成するカット紙９ａ〜９ｄすなわちカセット１３ａ〜１３ｄの組合せを入力格納する機能を有している。
【００３１】
分割データ生成部２１は、１頁分の印刷画像データをその指示された大判印刷用紙に応じて画像拡大処理し、給紙段判別部１９のカット紙連結組合せ情報（カット紙９ａ〜９ｄ又はカセット１３ａ〜１３ｄの組合せ情報）を参照し、連結される個々のカット紙９ａ〜９ｄ又はカセット１３ａ〜１３ｄに対応して１頁分の印刷画像データを分割した分割印刷画像データを生成するとともに、個々の分割印刷画像データが印刷される個々のカット紙９ａ〜９ｄ（カセット１３ａ〜１３ｄ）を指定する用紙指定データとをセットで生成し、これらを印刷データとしてネットワーク３を介してプリンタ１の印刷エンジン１１に出力する機能を有している。
【００３２】
印刷エンジン１１は、その印刷データを解読し、分割印刷画像データに対応する個々のカット紙９ａ〜９ｄのカセット１３ａ〜１３ｄから順次カット紙９ａ〜９ｄを給紙し、個々の分割印刷画像データを該当するカット紙９ａ〜９ｄに印刷する機能を有している。
【００３３】
次に、本発明に係る印刷制御装置の動作について、例えばＡ４版のカット紙９しか扱えないプリンタ１において、１頁分の印刷画像データをＡ３版に拡大してポスター印刷をする場合を図６のシーケンスを参照して説明する。
【００３４】
用紙情報登録部１５には、図４Ａ、Ｂおよび図５のようなカット紙９ａ〜９ｄ（カセット１３ａ〜１３ｄ）の連結組合せで形成できるカット紙連結組合せ情報が登録されており、図３に示すように、カセット１３ａ〜１３ｄにはカット紙９ａ〜９ｄが各々セットされている。
【００３５】
そして、１頁分の前記印刷画像データがコンピュータ５で作成され、作業者がキーボードからＡ３版のポスター印刷を指示すると、図６に示すように、コンピュータ５（給紙段判別部１９）がネットワーク３を介してプリンタ１（用紙情報登録部１５）に対して用紙情報要求を出し、用紙情報登録部１５でＡ３版のカット紙連結組合せ情報を検索し、用紙情報として該当するカット紙連結組合せ情報（例えば図４Ａ）を取得し、用紙情報登録部１５に入力格納する。
【００３６】
他方、コンピュータ５（分割データ生成部２１）は、１頁分の印刷画像データを図４ＡのＡ３版用紙に応じて印刷画像データを拡大処理し、給紙段判別部１９のカット紙連結組合せ情報（図４Ａ）に基づき、連結される個々のカット紙９ｂ、９ｄに対応して１頁分の印刷画像データを分割した分割印刷画像データを生成するとともに、この分割印刷画像データが印刷されるカット紙９ｂ、９ｄのカセットを指定する用紙指定データとをセットで生成し、印刷データとしてネットワーク３を介してプリンタ１（印刷エンジン１１）へ送信する。
【００３７】
印刷エンジン１１は、その印刷データからカット紙９ｂ、９ｄのカセットを指定して順次カット紙９ｂ、９ｄを給紙して該当する分割印刷画像データを印刷する。
【００３８】
その後、作業者は、印刷されたカット紙９ｂ、９ｄから剥離テープを剥がしてカット紙９ｂの粘着糊代部１７部分にカット紙９ｄの端部を重ねて貼り合わせて連結し、Ａ３版のポスター印刷が完成する。
【００３９】
このように本発明に係る印刷制御装置では、剥離テープが止着された粘着糊代部１７を有する３種類のカット紙９ａ〜９ｃと粘着糊代部１７を有しないカット紙９ｄとをセットする用紙セット部１３と、その粘着糊代部１７を有する１種類以上のカット紙９ａ〜９ｃと粘着糊代部１７を有しないカット紙９ｄとの連結して得られる大判印刷用紙に関するカット紙連結組合せ情報が登録された用紙情報登録部１５と、印刷指示された大判印刷用紙の得られるカット紙連結組合せ情報をこの用紙情報登録部１５で検索して格納する給紙段判別部１９と、これに格納されたカット紙連結組合せ情報に基づき、連結される個々のカット紙９ａ〜９ｄに対応して１頁分の印刷画像データを分割した分割印刷画像データと、この分割印刷画像データが印刷されるカット紙９ａ〜９ｄを指定する用紙指定データとを生成して出力する分割データ生成部２１とを具備している。
【００４０】
そのため、色々なサイズのポスター印刷であっても、当該ポスターを連結形成するカット紙９ａ〜９ｄが自動的に指定されるから、種々のポスター印刷をする場合、作業者がそれらカット紙９ａ〜９ｄを簡単に連結することが可能となる。
【００４１】
しかも、各カット紙９ａ〜９ｃには予め粘着糊代部１７が止着加工されているから、作業者がそれらカット紙９ａ〜９ｄの端部を重ねるだけで連結可能となり、連結作業が大幅に軽減される利点がある。
【００４２】
そして、本発明の印刷制御装置では、上述したように、片方で隣合う右辺と下辺に粘着糊代部１７が止着加工されたカット紙９ａと、右辺に粘着糊代部１７が止着加工されたカット紙９ｂと、下辺に粘着糊代部１７が止着加工されたカット紙９ｃと、粘着糊代部１７が止着加工が施されていないカット紙９ｄの４種類を用いて組み合わせる構成に限定されない、
【００４３】
例えば、図４に示したように、粘着糊代部１７を有するカット紙９ｂや９ｃと粘着糊代部１７を有しない２種類のカット紙９ｄからなる構成でも、大きさは限定されるものの可能である。
【００４４】
また、互いに粘着糊代部１７の形成位置が異なるカット紙９ａ〜９ｃを用いる構成でも本発明の目的達成が可能であるが、図３に示したように、各々異なる１辺に粘着糊代部１７を有する２種類のカット紙９ｂ、９ｃと、片方の隣合う連続辺に粘着糊代部１７を有する１種類のカット紙９ａからなる構成にすれば、種々の大判印刷が可能である。
【００４５】
要は、粘着糊代部１７を有する１種類以上のカット紙９ａ〜９ｃおよび粘着糊代部１７を有しない１種類のカット紙９ｄについて、２ｍ×２ｎ（ｍ＝０、１、２、３、…、ｎ＝１、２、３、…）枚のカット紙９ａ〜９ｄの何れかに対応させてカット紙連結組合せ情報を形成すれば良い。
【００４６】
さらに、本発明の印刷制御装置では、予め、カット紙９ａ〜９ｃに関連づけてカット紙連結組合せ情報を用紙情報登録部１５に登録しておけば、用紙セット部１３は必須ではないし、分割データ生成部２１が用紙情報登録部１５を直接検索するようそれらを形成すれば、給紙段判別部１９も本発明において必須の要素ではない。
【００４７】
しかも、用紙情報登録部１５は、プリンタ１側に設ける構成に限定されず、コンピュータ５、７側に配置する構成も可能である。更に、プリンタ１内にコンピュータ５、７を内蔵してバス接続し、原稿をコピー可能に構成してポスター印刷できるようにしても良い。
【００４８】
さらにまた、本発明の印刷制御装置では、上記分割データ生成部２１に対し、ネットワーク３を介してそれら用紙情報登録部１５および又は用紙セット部１３を分散配置するシステム構成にすれば、種々のネットワーク構成が可能となり、分割データ生成部２１側から遠隔的に印刷可能である。
【００４９】
そして、本発明の印刷制御プログラムは、連結される所定寸法のカット紙の各々に１頁分の印刷画像データを分割して印刷制御する印刷制御用コンピュータにおいて、剥離テープが止着された粘着糊代部１７を有する１種類以上のカット紙９ａ〜９ｃおよび粘着糊代部１７を有しないカット紙９ｄとをそれら粘着糊代部１７で連結して得られる大判印刷画像領域についてのカット紙連結組合せ情報を登録する用紙情報登録処理と、登録されたカット紙連結組合せ情報に基づき、連結される個々のカット紙９ａ〜９ｄに対応して１頁分の印刷画像データを分割した分割印刷画像データと、この分割印刷画像データの印刷に対応するカット紙９ａ〜９ｄを指定する用紙指定データとを生成する生成処理とを実行するものである。
【図面の簡単な説明】
【００５０】
【図１】本発明に係る印刷制御装置の実施の一形態を示すブロック図である。
【図２】本発明に係る印刷制御装置の動作を説明するための図である。
【図３】本発明に係る印刷制御装置の動作を説明するための図である。
【図４】本発明に係る印刷制御装置の動作を説明するための図である。
【図５】本発明に係る印刷制御装置の動作を説明するための図である。
【図６】本発明に係る印刷制御装置の動作を説明するためのシーケンス図である。
【符号の説明】
【００５１】
１  プリンタ
３  ネットワーク
５、７  コンピュータ
９、９ａ、９ｂ、９ｃ、９ｄ  カット紙
１１  印刷エンジン
１３  用紙セット部
１３ａ、１３ｂ、１３ｃ、１３ｄ  カセット
１５  用紙情報登録部
１７  粘着糊代部
１９  給紙段判別部
２１  分割データ生成部
【図１】
2007261105.tif 000003
【図２】
2007261105.tif 000004
【図３】
2007261105.tif 000005
【図４】
2007261105.tif 000006
【図５】
2007261105.tif 000007
【図６】
2007261105.tif 000008